【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
アクセスユニットと関連付けられるビデオコーディング情報をマルチレイヤビットストリームのレイヤのセットまたはオペレーションポイントのセットと関連付けるためのデバイスであって、
前記マルチレイヤビットストリームと関連付けられるビデオ情報を記憶するように構成されるメモリであって、前記記憶されるビデオ情報がsupplemental enhancement information(SEI)メッセージを備える、メモリと、
前記メモリに動作可能に結合されたプロセッサとを備え、前記プロセッサが、
前記SEIメッセージ中の識別子に基づいて、前記SEIメッセージが、バッファリング期間SEIメッセージ、ピクチャタイミングSEIメッセージ、または復号ユニット情報SEIメッセージを含む第1のSEIメッセージカテゴリと、前記第1のSEIメッセージカテゴリのものとは異なるSEIメッセージを含む第2のSEIメッセージカテゴリとのうちの1つに属するかどうかを決定することと、
前記SEIメッセージがいつオペレーションポイントの前記セットに適用されるか、および、前記SEIメッセージがいつレイヤの前記セットに適用されるかを決定することと、
前記第1のSEIメッセージカテゴリに属するとともにオペレーションポイントの前記セットに適用される第1のSEIメッセージについて、前記SEIメッセージの各セマンティクスを、前記SEIメッセージが適用されるオペレーションポイントの前記セットの各オペレーションポイントへ独立に適用することと、
前記第1のSEIメッセージカテゴリに属するとともにレイヤの前記セットに適用される第2のSEIメッセージについて、前記SEIメッセージの前記セマンティクスを、前記SEIメッセージの1つまたは複数のインジケータに従ってレイヤの前記セットへ適用することと、
前記第2のSEIメッセージカテゴリに属するとともにレイヤの前記セットに適用される第3のSEIメッセージについて、前記SEIメッセージの各セマンティクスを、前記SEIメッセージが適用されるレイヤの前記セットの各レイヤのセットへ独立に適用することと
を行うように構成される、デバイス。
【請求項２】
オペレーションポイントの前記セットの中の各オペレーションポイントが、前記マルチレイヤビットストリームのビットストリームのサブセットを備えるアクセスユニットと関連付けられ、ビットストリームの前記サブセットが各オペレーションポイントによって示されるような前記レイヤの少なくとも1つを備える、請求項1に記載のデバイス。
【請求項３】
オペレーションポイントの前記セットの中の各オペレーションポイントが、1つまたは複数のアクセスユニットを備える符号化ビデオシーケンス(CVS)と関連付けられ、前記1つまたは複数のアクセスユニットが、前記マルチレイヤビットストリームのビットストリームのサブセットを備え、ビットストリームの前記サブセットが、前記CVSによって示されるような前記レイヤの少なくとも1つを備える、請求項1に記載のデバイス。
【請求項４】
プロセッサがさらに、前記SEIメッセージの前記識別子に少なくとも一部基づいて、オペレーションポイントの前記セットまたはレイヤの前記セットの前記ビデオコーディング情報をコーディングするように構成される、請求項1に記載のデバイス。
【請求項５】
前記第1のSEIメッセージカテゴリに属する前記第1および第2のSEIメッセージが、前記SEIメッセージが適用される前記アクセスユニットの少なくとも1つのピクチャが別のピクチャの復号可能性に影響を与えることなく意図的に廃棄され得ない場合、前記バッファリング期間SEIメッセージを含む、請求項1に記載のデバイス。
【請求項６】
前記第2のSEIメッセージカテゴリに属する前記第3のSEIメッセージが、欠けているコーディングされたピクチャをコーダが検出するのを支援するための情報を提供し、前記SEIメッセージのシンタックスの値が、前記第3のSEIメッセージと関連付けられるピクチャが別のピクチャの復号可能性に影響を与えることなく意図的に廃棄され得ないアンカーピクチャであるときにだけ増やされる、請求項1に記載のデバイス。
【請求項７】
前記第2のSEIメッセージカテゴリが、パンスキャン矩形SEIメッセージ、プログレッシブ高画質化セグメント開始SEIメッセージ、フィルム粒度特性SEIメッセージ、トーンマッピング情報SEIメッセージ、フレームパッキング構成SEIメッセージ、および表示方向SEIメッセージを含む、請求項1に記載のデバイス。
【請求項８】
前記第2のSEIメッセージカテゴリに属する前記SEIメッセージの持続性セマンティクスが、前記第2のSEIメッセージカテゴリの前記SEIメッセージが適用されるレイヤと関連付けられる、請求項5に記載のデバイス。
【請求項９】
前記第2のSEIメッセージカテゴリに属する前記第3のSEIメッセージが、時間的サブレイヤゼロインデックスSEIメッセージを備え、前記時間的サブレイヤゼロインデックスSEIメッセージが、ピクチャが欠けているかどうかを決定するときにピクチャが廃棄可能かどうかを考慮するように構成される、請求項1に記載のデバイス。
【請求項１０】
前記第2のSEIメッセージカテゴリに属する前記第3のSEIメッセージが、2つ以上のシーケンスパラメータセット(SPS)を備えるように構成される、請求項1に記載のデバイス。
【請求項１１】
前記2つ以上のSPSの各SPSがレイヤの前記セットの少なくとも1つと関連付けられる、請求項10に記載のデバイス。
【請求項１２】
前記第1のSEIメッセージカテゴリに属する前記第1および第2のSEIメッセージが、有効パラメータセットSEIメッセージであり、前記有効パラメータセットSEIメッセージがさらに、前記2つ以上のSPSの各SPSをレイヤの前記セットの少なくとも1つにマッピングするための機構を備える、請求項11に記載のデバイス。
【請求項１３】
前記有効パラメータセットSEIメッセージがさらに、前記SPSと関連付けられるレイヤの前記セットの中のレイヤを指定するセマンティクスを備える、請求項12に記載のデバイス。
【請求項１４】
アクセスユニットと関連付けられるビデオコーディング情報をマルチレイヤビットストリームのレイヤのセットまたはオペレーションポイントのセットと関連付けるための方法であって、
前記マルチレイヤビットストリームと関連付けられるビデオ情報を記憶するステップであって、前記記憶されるビデオ情報がsupplemental enhancement information(SEI)メッセージを備える、ステップと、
前記SEIメッセージ中の識別子に基づいて、前記SEIメッセージが、バッファリング期間SEIメッセージ、ピクチャタイミングSEIメッセージ、または復号ユニット情報SEIメッセージを含む第1のSEIメッセージカテゴリと、前記第1のSEIメッセージカテゴリのものとは異なるSEIメッセージを含む第2のSEIメッセージカテゴリとのうちの1つに属するかどうかを決定するステップと、
前記SEIメッセージがいつオペレーションポイントの前記セットに適用されるか、および、前記SEIメッセージがいつレイヤの前記セットに適用されるかを決定するステップと、
前記第1のSEIメッセージカテゴリに属するとともにオペレーションポイントの前記セットに適用される第1のSEIメッセージについて、前記SEIメッセージの各セマンティクスを、前記SEIメッセージが適用されるオペレーションポイントの前記セットの各オペレーションポイントへ独立に適用するステップと、
前記第1のSEIメッセージカテゴリに属するとともにレイヤの前記セットに適用される第2のSEIメッセージについて、前記SEIメッセージの前記セマンティクスを、前記SEIメッセージの1つまたは複数のインジケータに従ってレイヤの前記セットへ適用するステップと、
前記第2のSEIメッセージカテゴリに属するとともにレイヤの前記セットに適用される第3のSEIメッセージについて、前記SEIメッセージの各セマンティクスを、前記SEIメッセージが適用されるレイヤの前記セットの各レイヤへ独立に適用するステップとを備える、方法。
【請求項１５】
オペレーションポイントの前記セットの各オペレーションポイントを、前記マルチレイヤビットストリームのビットストリームのサブセットを備えるアクセスユニットであって、ビットストリームの前記サブセットが各オペレーションポイントによって示されるような前記レイヤの少なくとも1つを備える、アクセスユニットと関連付けるステップをさらに備える、請求項14に記載の方法。
【請求項１６】
オペレーションポイントの前記セットの各オペレーションポイントを、1つまたは複数のアクセスユニットを備える符号化ビデオシーケンス(CVS)であって、前記1つまたは複数のアクセスユニットが、前記マルチレイヤビットストリームのビットストリームのサブセットを備え、ビットストリームの前記サブセットが、前記CVSによって示されるような前記レイヤの少なくとも1つを備える、符号化ビデオシーケンス(CVS)と関連付けるステップをさらに備える、請求項14に記載の方法。
【請求項１７】
前記SEIメッセージ中の前記識別子に少なくとも一部基づいて、オペレーションポイントの前記セットまたはレイヤの前記セットの前記ビデオコーディング情報をコーディングするステップをさらに備える、請求項14に記載の方法。
【請求項１８】
他のSEIメッセージに属する前記SEIメッセージの持続性セマンティクスを、前記他のSEIメッセージが適用されるレイヤと関連付けるステップをさらに備える、請求項14に記載の方法。
【請求項１９】
アクセスユニットと関連付けられるビデオコーディング情報をマルチレイヤビットストリームのレイヤのセットまたはオペレーションポイントのセットと関連付けるためのデバイスであって、
前記マルチレイヤビットストリームと関連付けられるビデオ情報を記憶するための手段であって、前記記憶されるビデオ情報がsupplemental enhancement information(SEI)メッセージを備える、手段と、
前記SEIメッセージ中の識別子に基づいて、前記SEIメッセージが、バッファリング期間SEIメッセージ、ピクチャタイミングSEIメッセージ、または復号ユニット情報SEIメッセージを含む第1のSEIメッセージカテゴリと、前記第1のSEIメッセージカテゴリのものとは異なるSEIメッセージを含む第2のSEIメッセージカテゴリとのうちの1つに属するかどうかを決定するための手段と、
前記SEIメッセージがいつオペレーションポイントの前記セットに適用されるか、および、前記SEIメッセージがいつレイヤの前記セットに適用されるかを決定するための手段と、
前記第1のSEIメッセージカテゴリに属するとともに前記SEIメッセージが適用されるオペレーションポイントの前記セットに適用される第1のSEIメッセージについて、前記SEIメッセージの各セマンティクスをオペレーションポイントの前記セットの各オペレーションポイントへ独立に適用するための手段と、
前記第1のSEIメッセージカテゴリに属するとともにレイヤの前記セットに適用される第2のSEIメッセージについて、前記SEIメッセージの各セマンティクスを、前記SEIメッセージの1つまたは複数のインジケータに従ってレイヤの前記セットへ適用するための手段と、
前記第2のSEIメッセージカテゴリに属するとともにレイヤの前記セットに適用される第3のSEIメッセージについて、前記SEIメッセージの各セマンティクスを、前記SEIメッセージが適用されるレイヤの前記セットの各レイヤへ独立に適用するための手段とを備える、デバイス。
【請求項２０】
オペレーションポイントの前記セットの各オペレーションポイントが、前記マルチレイヤビットストリームのビットストリームのサブセットを備えるアクセスユニットと関連付けられ、ビットストリームの前記サブセットが各オペレーションポイントによって示されるような前記レイヤの少なくとも1つを備える、請求項19に記載のデバイス。
【請求項２１】
他のSEIメッセージが、時間的サブレイヤゼロインデックスSEIメッセージを備え、前記時間的サブレイヤゼロインデックスSEIメッセージが、ピクチャが欠けているかどうかを決定するときにピクチャが廃棄可能かどうかを考慮するように構成される、請求項19に記載のデバイス。
【請求項２２】
他のSEIメッセージが、2つ以上のシーケンスパラメータセット(SPS)を備えるように構成される、請求項19に記載のデバイス。
【請求項２３】
実行されると、デバイスのプロセッサに、
マルチレイヤビットストリームと関連付けられるビデオ情報を記憶することであって、前記記憶されるビデオ情報がsupplemental enhancement information(SEI)メッセージを備える、ことと、
前記SEIメッセージ中の識別子に基づいて、前記SEIメッセージが、バッファリング期間SEIメッセージ、ピクチャタイミングSEIメッセージ、または復号ユニット情報SEIメッセージを含む第1のSEIメッセージカテゴリと、前記第1のSEIメッセージカテゴリのものとは異なるSEIメッセージを含む第2のSEIメッセージカテゴリとのうちの1つに属するかどうかを決定することと、
前記SEIメッセージがいつオペレーションポイントのセットに適用されるか、および、前記SEIメッセージがいつ前記マルチレイヤビットストリームのレイヤのセットに適用されるかを決定することと、
前記第1のSEIメッセージカテゴリに属するとともにオペレーションポイントの前記セットに適用される第1のSEIメッセージについて、前記SEIメッセージの各セマンティクスを、前記SEIメッセージが適用されるオペレーションポイントの前記セットの各オペレーションポイントへ独立に適用することと、
前記第1のSEIメッセージカテゴリに属するとともにレイヤの前記セットに適用される第2のSEIメッセージについて、前記SEIメッセージの前記セマンティクスを、前記SEIメッセージの1つまたは複数のインジケータに従ってレイヤの前記セットへ適用することと、
前記第2のSEIメッセージカテゴリに属するとともにレイヤの前記セットに適用される第3のSEIメッセージについて、前記SEIメッセージの各セマンティクスを、前記SEIメッセージが適用されるレイヤの前記セットの各レイヤへ独立に適用すること
を行わせる命令を記憶した、コンピュータ可読記憶媒体。
【請求項２４】
オペレーションポイントの前記セットの各オペレーションポイントが、前記マルチレイヤビットストリームのビットストリームのサブセットを備えるアクセスユニットと関連付けられ、ビットストリームの前記サブセットが各オペレーションポイントによって示されるような前記レイヤの少なくとも1つを備える、請求項23に記載のコンピュータ可読記憶媒体。
【請求項２５】
前記第2のSEIメッセージカテゴリに属する前記第3のSEIメッセージが、時間的サブレイヤゼロインデックスSEIメッセージを備え、前記時間的サブレイヤゼロインデックスSEIメッセージが、ピクチャが欠けているかどうかを決定するときにピクチャが廃棄可能かどうかを考慮するように構成される、請求項23に記載のコンピュータ可読記憶媒体。